(57)【要約】【課題】扉の外観が好ましい状態に保持される扉のロック器具を提供する。【解決手段】扉のロック器具１は収納空間２１０を開閉する扉の背面１２０Ａに設置される第１設置部材１０と、収納空間２１０に関連する壁、または、収納空間２１０に配置された物品に設置される第２設置部材４０と、磁力により移動できるように第１設置部材１０および第２設置部材４０の一方に配置される規制部材７０と、規制部材７０と接触することにより、収納空間２１０を閉鎖する扉をロックできるように第１設置部材１０および第２設置部材４０の他方に設けられる被規制部材２０とを備える。【選択図】図４
2019031843.tif 000002
【特許請求の範囲】
【請求項１】
収納空間を開閉する扉の背面に設置される第１設置部材と、
前記収納空間に関連する壁、または、前記収納空間に配置された物品に設置される第２設置部材と、
磁力により移動できるように前記第１設置部材および前記第２設置部材の一方に配置される規制部材と、
前記規制部材と接触することにより、前記収納空間を閉鎖する前記扉をロックできるように前記第１設置部材および前記第２設置部材の他方に設けられる被規制部材とを備える
扉のロック器具。
【請求項２】
収納空間を開閉する一対の扉の一方の背面に設置される第１設置部材と、
前記一対の扉の他方の背面に設置される第２設置部材と、
磁力により移動できるように前記第１設置部材および前記第２設置部材の一方に配置される規制部材と、
前記規制部材と接触することにより、前記収納空間を閉鎖する前記一対の扉をロックできるように前記第１設置部材および前記第２設置部材の他方に設けられる被規制部材とを備える
扉のロック器具。
【請求項３】
前記規制部材は金属製の球である
請求項１または２に記載の扉のロック器具。
【請求項４】
前記第２設置部材は前記規制部材の移動方向を規定するガイド面を含む
請求項３に記載の扉のロック器具。
【請求項５】
前記第２設置部材は前記規制部材を収容する箱を含む
請求項３または４に記載の扉のロック器具。
【請求項６】
前記第１設置部材は前記扉に取り付けるための金属製の取付部を含む
請求項１〜５のいずれか一項に記載の扉のロック器具。
【請求項７】
前記規制部材が前記第１設置部材および前記第２設置部材に対して移動するように前記規制部材に磁力を与える操作部材をさらに備える
請求項１〜６のいずれか一項に記載の扉のロック器具。
【請求項８】
前記規制部材の位置を示すために前記扉に取り付けられるマーカーをさらに含む
請求項１〜７のいずれか一項に記載の扉のロック器具。
【発明の詳細な説明】
【技術分野】
【０００１】
本発明は扉をロックする扉のロック器具に関する。
【背景技術】
【０００２】
扉をロックするロック器具の一例として、非特許文献１に示されるように粘着テープを扉に貼り付けることにより扉に設置されるロック器具が知られている。
【先行技術文献】
【非特許文献】
【０００３】
【非特許文献１】株式会社赤ちゃん本舗、“キャビネットロック  くまのプーさん”、［online］、［平成２９年７月３１日検索］、〈URL：http://akachan.omni7.jp/detail/385007000?gclid=EAIaIQobChMI4_PPjqCy1QIVzQoqCh2MMgjCEAYYBSABEgIWBPD_BwE〉
【発明の概要】
【発明が解決しようとする課題】
【０００４】
扉に設置された非特許文献１のロック器具を扉から取り外した場合、扉の表面を構成する部分が剥がれるおそれがある。
【課題を解決するための手段】
【０００５】
(１)本発明に関する扉のロック器具は収納空間を開閉する扉の背面に設置される第１設置部材と、前記収納空間に関連する壁、または、前記収納空間に配置された物品に設置される第２設置部材と、磁力により移動できるように前記第１設置部材および前記第２設置部材の一方に配置される規制部材と、前記規制部材と接触することにより、前記収納空間を閉鎖する前記扉をロックできるように前記第１設置部材および前記第２設置部材の他方に設けられる被規制部材とを備える。
第１設置部材および第２設置部材の一方が扉の背面に設置され、第１設置部材および第２設置部材の他方が収納空間に関連する壁または物品に設置されることにより、上記ロック器具を使用するための状態が整えられる。扉が収納空間を閉鎖した状態で規制部材と被規制部とが接触した場合、ロック器具により扉がロックされる。扉がロックされた状態において、磁石を含む操作部材により規制部材が被規制部材と接触しない位置に移動した場合、扉がアンロックされる。このため、扉を操作し、収納空間を開放できる。上記ロック器具によれば、操作部材の磁石の磁力により規制部材を移動させることができるため、粘着テープにより扉に設置する従来のロック器具とは異なり、操作部材を扉に固定する必要がない。このため、扉の外観が好ましい状態に保持される。
【０００６】
(２)本発明に関する扉のロック器具は収納空間を開閉する一対の扉の一方の背面に設置される第１設置部材と、前記一対の扉の他方の背面に設置される第２設置部材と、磁力により移動できるように前記第１設置部材および前記第２設置部材の一方に配置される規制部材と、前記規制部材と接触することにより、前記収納空間を閉鎖する前記一対の扉をロックできるように前記第１設置部材および前記第２設置部材の他方に設けられる被規制部材とを備える。
上記ロック器具によれば、(１)に記載のロック器具により得られる効果に準じた効果が得られる。
【０００７】
(３)好ましい例では(１)または(２)に記載の扉のロック器具において、前記規制部材は金属製の球である。
このため、規制部材が移動する場合の抵抗が小さくなる。
【０００８】
(４)好ましい例では(３)に記載の扉のロック器具において、前記第２設置部材は前記規制部材の移動方向を規定するガイド面を含む。
このため、規制部材を移動させるために操作部材を操作する場合にシビアな操作精度が要求されず、扉のロックおよびアンロックを容易に変更できる。
【０００９】
(５)好ましい例では(３)または(４)に記載の扉のロック器具において、前記第２設置部材は前記規制部材を収容する箱を含む。
このため、規制部材が第２設置部材から落ちることが抑制される。
【００１０】
(６)好ましい例では(１)〜(５)のいずれか一項に記載の扉のロック器具であって、前記第１設置部材は前記扉に取り付けるための金属製の取付部を含む。
操作部材が扉を介して取付部に吸着するため、操作部材を扉の取手として利用できる。
【００１１】
(７)好ましい例では(１)〜(６)のいずれか一項に扉のロック器具において、前記規制部材が前記第１設置部材および前記第２設置部材に対して移動するように前記規制部材に磁力を与える操作部材をさらに備える。
規制部材の操作に適した操作部材により規制部材を操作できるため、扉のロックおよびアンロックを容易に変更できる。
【００１２】
(８)好ましい例では(１)〜(７)のいずれか一項に記載の扉のロック器具において、前記規制部材の位置を示すために前記扉に取り付けられるマーカーをさらに含む。
このため、規制部材の位置を容易に把握できる。
【発明の効果】
【００１３】
本発明に関するロック器具によれば、扉の外観が好ましい状態に保持される。
【図面の簡単な説明】
【００１４】
【図１】実施形態のロック器具が取り付けられた扉を含む収納構造の正面図。
【図２】図１のＤ２−Ｄ２線に沿う断面図。
【図３】図１の扉が収納空間を開放した状態の収納構造の正面図。
【図４】図３のロック器具の斜視図。
【図５】扉をロックした状態のロック器具の断面図。
【図６】図５の操作部材および規制部材が上方に移動した状態を示す断面図。
【図７】図６の被規制部材の接触部が箱の空間に移動した状態を示す断面図。
【図８】図７の被規制部材が箱から抜けた状態を示す断面図。
【図９】閉じ方向に移動する被規制部材が規制部材と接触した状態を示す断面図。
【図１０】図９の被規制部材が規制部材を押し上げた状態を示す断面図。
【図１１】図１０の規制部材が接触部の頂部に乗り上げた状態を示す断面図。
【図１２】図１１の規制部材が下方に移動した状態を示す断面図。
【発明を実施するための形態】
【００１５】
図１に示されるように、ロック器具１は建築物３００に設けられた扉１００をロックできるように扉１００等に設置される。扉１００の一例は建築物３００に設けられた収納構造２００の出入口を開閉する扉である。ロック器具１が設置される扉１００の例としては、片開きの開戸、両開きの開き戸、片引きの引戸、引違の引戸、引分の引戸、片引きの吊戸、引違の吊戸、引分の吊戸、および、折戸が挙げられる。収納構造２００の一例はクローゼットである。収納構造２００は建築物３００の壁３１０に囲まれた収納空間２１０を有する。壁３１０には収納構造２００の出入口を構成する開口部２２０が形成されている。開口部２２０の縁には枠４００が設置されている。枠４００の内側に扉１００が設置されている。
【００１６】
一例では、扉１００は開口部２２０に対して両開きする第１扉１１０および第２扉１２０により構成されている。以降の説明では、各扉１１０、１２０が開口部２２０を閉鎖するように移動する方向を閉じ方向と称し、各扉１１０、１２０が開口部２２０を開放するように移動する方向を開き方向と称する。開口部２２０に対する扉１００の位置は閉じ位置、開き位置、および、中間位置に分類できる。閉じ位置は扉１００が最大限に閉じ方向に移動した位置である。開き位置は扉１００が最大限に開き方向に移動した位置である。中間位置は閉じ位置と開き位置との間の位置である。図２に示されるように、各扉１１０、１２０が開口部２２０を閉鎖した状態では、第１扉１１０の縦縁１１１が第２扉１２０の縦縁１２１よりも収納空間２１０側に位置するように重ね合わせられる。このため、各扉１１０、１２０の位置が閉じ位置である場合に、第２扉１２０の位置が閉じ位置に保持された状態のまま第１扉１１０を開き方向に移動させることはできない。
【００１７】
図３に示されるように、収納空間２１０には収納空間２１０を第１収納空間２１１および第２収納空間２１２に区画する仕切り３２０が設置されている。各収納空間２１１、２１２には棚３３０が設置されている。第１扉１１０は第１収納空間２１１の出入口を開閉できるように開口部２２０に設置されている。第２扉１２０は第２収納空間２１２の出入口を開閉できるように開口部２２０に設置されている。
【００１８】
ロック器具１を構成する主要な要素は第１設置部材１０、第２設置部材４０、規制部材７０(図４参照)、および、操作部材８０(図１および図４参照)である。第１設置部材１０、第２設置部材４０、および、規制部材７０は、閉じ位置の扉１００を開くように扉１００に力が加えられた場合に、扉１００に設置された各設置部材１０、４０の一方の移動が各設置部材１０、４０の他方との接触により規制されるロック構造を構成している。第１設置部材１０および第２設置部材４０の一方は収納空間２１０に関連する壁に設置される。収納空間２１０に関連する壁は、収納空間２１０を構成する壁３１０、収納空間２１０に設置される仕切り３２０および棚３３０、ならびに、ロック器具１を設置するために収納空間２１０に設置される専用の取付部を含む。第１設置部材１０および第２設置部材４０の他方は扉１００に設置される。一例では、第１設置部材１０が第２扉１２０の背面１２０Ａに設置され、第２設置部材４０が仕切り３２０に設置される。収納構造２００の高さ方向における各設置部材１０、４０の位置は建築物に設置される一般的な構造の扉における取手の位置と同様であることが好ましい。
【００１９】
図４に示されるように、第１設置部材１０を構成する主な要素は被規制部材２０および取付部３０である。被規制部材２０は第２設置部材４０に設けられる規制部材７０と接触することにより収納空間２１０を閉鎖する第２扉１２０をロックできるように構成されている。取付部３０は扉１００および壁３１０等に取り付けることができるように構成されている。被規制部材２０および取付部３０は個別に構成された部材であり、結合手段により結合されている。結合手段の一例は溶接、接着剤、ねじ、および、嵌合する凹凸である。被規制部材２０および取付部３０の具体的な形態は任意に選択できる。一例では、被規制部材２０は金属製のフックであり、取付部３０は金属製の板である。
【００２０】
被規制部材２０は基部２１および接触部２２に区分される。基部２１は取付部３０と接合された板である。接触部２２は基部２１の先端部から上方に突出した爪である。接触部２２には規制部材７０と接触する傾斜面２２Ａおよび被規制面２２Ｂが形成されている。傾斜面２２Ａは接触部２２の基部２１側から上方側に向かうにつれて接触部２２の先端側から基端側に傾斜するように接触部２２の先端側の部分に形成されている。被規制面２２Ｂは箱５０の長手方向に沿うように接触部２２における取付部３０側の部分に形成されている。
【００２１】
取付部３０は第２扉１２０の背面１２０Ａに固定されている。取付部３０を構成する材料は任意に選択できる。好ましい例では、取付部３０は操作部材８０の磁石８１が第２扉１２０を介して取付部３０に吸着できるような磁性材料により構成される。この場合、操作部材８０を扉１００の取手として利用できる。磁性材料の一例は鉄、ケイ素鋼、パーマロイ、センダスト、パーメンジュール、ソフトフェライト、アモルファス磁性合金、および、ナノクリスタル磁性合金である。磁石８１の一例はフェライト、ネオジウム、サマリウムコバルト、および、アルニコである。取付部３０を扉１００に結合する結合手段は任意に選択できる。第１例では、結合手段は固定部材を利用して取付部３０を扉１００に結合する手段である。固定部材の一例はねじ、ボルト、および、リベットである。第２例では、結合手段は接着力を利用して取付部３０を扉１００に結合する手段である。接着力を提供する物体の一例は接着剤および両面テープである。第３例では、結合手段は磁力を利用して取付部３０を扉１００に結合する手段である。磁力を提供する物体の一例は、取付部３０および扉１００の一方に設けられる磁石、および、取付部３０および扉１００の他方に設けられる磁石または磁性体である。
【００２２】
第２設置部材４０を構成する主要な要素は箱５０および取付部６０である。箱５０および取付部６０を構成する材料は任意に選択できる。その一例は軽量な樹脂材料である。箱５０および取付部６０は個別に構成された樹脂部材であり、接着剤により接合されている。箱５０の形状は長方形状である。箱５０は第１側壁５１、第２側壁５２、第３側壁５３、天壁５４、および、底壁５５により構成されている。箱５０を構成するこれらの要素は個別に構成された樹脂部材であり、接着剤により接合されている。第１側壁５１と第２側壁５２とは空間５０Ａを介して対向している。各側壁５１、５２には被規制部材２０が通過できるスリット５１Ｂ、５２Ｂが形成されている。各スリット５１Ｂ、５２Ｂは天壁５４から底壁５５までの範囲に形成されている。第３側壁５３は第１側壁５１の端部と第２側壁５２の端部との間に設けられている。取付部６０は板であり、空間５０Ａを介して第３側壁５３と対向するように第１側壁５１および第２側壁５２のそれぞれに接合されている。取付部６０が仕切り３２０に固定されることにより第２設置部材４０が仕切り３２０に設置される。第２設置部材４０は箱５０の長手方向が仕切り３２０の長手方向に沿うように設置される。取付部６０と仕切り３２０とを結合する手段の一例は取付部３０と第２扉１２０とを結合する手段として例示した手段と同様である。
【００２３】
規制部材７０は箱５０の空間５０Ａを移動できるように空間５０Ａに配置されている。規制部材７０を構成する材料は磁性材料および磁石から任意に選択できる。規制部材７０を構成する磁性材料は取付部３０を構成する磁性材料の例から選択できる。規制部材７０を構成する磁石は磁石８１の例から選択できる。規制部材７０の形状は任意に選択できる。その一例は、球、円柱、角柱、板、および、フックである。図示される例では、規制部材７０は金属製の球である。箱５０の内面には規制部材７０を箱５０の底壁５５よりも高い位置で保持する複数の支持部５６が設けられている。規制部材７０は箱５０の空間５０Ａにおいて支持部５６と天壁５４との間を移動できる。支持部５６を構成する材料は箱５０を構成する材料と同じである。支持部５６は各側壁５１〜５３および取付部６０とは個別に構成された樹脂部材であり、接着剤により各側壁５１〜５３および取付部６０に接合されている。
【００２４】
規制部材７０は操作部材８０の磁力または被規制部材２０から与えられる力により箱５０に対して移動する。操作部材８０の磁力が規制部材７０に与えられている場合、規制部材７０は箱５０、取付部３０、および、扉１００を介して操作部材８０の磁石８１に吸着し、操作部材８０の移動にともない箱５０に対して移動する。被規制部材２０が接触部２２の傾斜面２２Ａにより規制部材７０を押し上げるように扉１００の閉じ方向に移動する場合、規制部材７０は傾斜面２２Ａに沿って箱５０に対して移動する。傾斜面２２Ａの傾斜角度は任意に選択できる。一例では、接触部２２が規制部材７０を押し上げるように移動する場合に規制部材７０が滑らかに傾斜面２２Ａに沿って移動できるように傾斜面２２Ａの傾斜角度が設定される。
【００２５】
第１側壁５１の内面である第１ガイド面５１Ａおよび第２側壁５２の内面である第２ガイド面５２Ａは箱５０の空間５０Ａにおける規制部材７０の移動方向を規定する。規制部材７０の直径は第１ガイド面５１Ａと第２ガイド面５２Ａとの距離よりも若干短い。このため、規制部材７０と第１側壁５１および第２側壁５２のそれぞれとの間には微小な隙間が形成され、箱５０に対する規制部材７０の移動方向は実質的に箱５０の長手方向に規定されている。このような移動方向に関する規定は各ガイド面５１Ａ、５２Ａにより実現されている。規制部材７０の移動方向が規定されていることにより、規制部材７０を移動させるために操作部材８０を操作する場合にシビアな操作精度が要求されないため、扉１００のロックおよびアンロックを容易に変更できる。
【００２６】
操作部材８０は規制部材７０が第１設置部材１０および第２設置部材４０に対して移動するように規制部材７０に磁力を与える。操作部材８０を構成する主な要素は磁石８１、および、磁石８１を保持するグリップ８２である。磁石８１はグリップ８２に固定されている。グリップ８２を構成する材料は任意に選択できる。その一例は軽量な合成樹脂である。グリップ８２がこの材料で構成される場合、ユーザによる操作部材８０の操作性が向上する。操作部材８０を利用して規制部材７０を移動させる場合、図５に示されるように、第２扉１２０を介して取付部３０と結合するように第２扉１２０の表面１２０Ｂに操作部材８０が設置される。この状態では、操作部材８０の磁石８１と取付部３０とが結合しているため、ユーザが操作部材８０を支持しなくても操作部材８０が第２扉１２０に設置された状態が保たれる。規制部材７０が箱５０の天壁５４よりも下方に位置する状態で、第２扉１２０に設置された操作部材８０が第２扉１２０に沿って上方に移動した場合、操作部材８０とともに規制部材７０が上方に移動する。規制部材７０が箱５０の支持部５６よりも上方に位置する状態で、第２扉１２０に設置された操作部材８０が第２扉１２０に沿って下方に移動した場合、操作部材８０とともに規制部材７０が下方に移動する。
【００２７】
収納構造２００は操作部材８０を保管するための保管構造を備えている。保管構造の構成は任意に選択できる。第１例では、保管構造は扉１００に設けられた磁性体である。第２例では、保管構造は壁３１０の収納空間２１０外の面に設けられた磁性体である。第３例では、保管構造は扉１００の表面または壁３１０の収納空間２１０外の面に設けられた収納部である。収納部の一例は操作部材８０を収納するケースである。第１例および第２例によれば、操作部材８０の磁石８１と磁性体とが結合することにより操作部材８０が扉１００の表面または壁３１０の収納空間２１０外の面に保持される。図３に示される磁性体８３は第１例における磁性体の一例である。磁性体８３は第２扉１２０の背面１２０Ａに固定されている。第２扉１２０の高さ方向における磁性体８３の設置箇所は任意に選択できる。好ましい例では、磁性体８３は幼児の手が届かない位置に設置される。
【００２８】
収納構造２００では、操作部材８０が扉１００の取手として利用されるため、扉１００の表面に一般的な扉の取手が設けられていない。保管構造を構成する磁性体が扉１００の背面に設けられる場合、扉１００の表面には取手および保管構造のいずれもが設けられない。このため、扉１００と壁３１０との違いが認識されにくい。このような特性を利用して、収納構造２００を隠し収納庫として利用することができる。
【００２９】
扉１００にはロック器具１の使用を補助するマーカー９０が設けられている。マーカー９０は扉１００の正面側に位置するユーザに対して、規制部材７０のおおよその位置を示すために設けられる。ユーザは操作部材８０を用いて規制部材７０を移動させる場合に、操作部材８０を扉１００のどのあたりに設置することが適切かを容易に認識できる。マーカー９０の構成は任意に選択できる。好ましい例では、扉１００の表面に沿った操作部材８０の移動を妨げないようにマーカー９０が構成される。その一例はシールおよび塗料の層である。図示される例では、マーカー９０は扉１００の表面に貼り付けられたシールである。マーカー９０の表面の色または模様(以下「色等」)は任意に選択できる。好ましい例では、マーカー９０の表面の色等は扉１００の表面の色等と一致または類似する。この場合、一見しただけではマーカー９０の存在が認識されにくいため、扉１００の美観が保たれる。
【００３０】
図５に示されるように、ロック器具１が扉１００をロックしている場合、被規制部材２０の接触部２２が箱５０の第２側壁５２のスリット５２Ｂから箱５０の外側に突出し、規制部材７０が支持部５６に支持されている。この状態において第２扉１２０を開き方向に移動させる力を第２扉１２０に加える動作(以下「開放動作」という)が実施された場合、第２扉１２０に固定されている被規制部材２０が箱５０の各スリット５１Ｂ、５２Ｂを通過して箱５０から抜ける方向に移動しようとする。この動きは支持部５６上に配置された規制部材７０が接触部２２と第１側壁５１との間に挟み込まれることにより規制される。このため、第２扉１２０の開き方向への移動が規制され、第２扉１２０が開かない。ロック器具１が扉１００をロックし、開放動作が実施されていない状態では、接触部２２と規制部材７０との間に隙間が形成されている。このため、開放動作が実施された場合、接触部２２がわずかに規制部材７０側に移動し、規制部材７０と接触することにより移動が規制される。隙間の間隔は接触部２２が規制部材７０と接触した場合に大きな音が生じないように設定されている。接触部２２と規制部材７０との接触にともない生じる音を低減するその他の方法としては、例えば接触部２２の被規制面２２Ｂに緩衝材を取り付ける方法が挙げられる。この方法は上記隙間の間隔の設定と組み合わせ可能である。緩衝材の一例はゴムおよび発泡スチロールである。
【００３１】
ロック器具１のロックを解除する場合、第２扉１２０におけるマーカー９０と対応する箇所に操作部材８０が設置される。図６に示されるように、第２扉１２０に設置された操作部材８０が第２扉１２０に沿って上方に操作された場合、磁石８１の磁力により操作部材８０の移動方向と同じ方向に規制部材７０が移動する。これにより、規制部材７０が接触部２２と第１側壁５１との間から離れた場所に移動し、開き方向への接触部２２の移動が規制部材７０により規制されない状態が形成される。すなわち、ロック器具１の状態が扉１００をロックする状態から扉１００をアンロックする状態に変更される。扉１００がアンロックされた状態で第２扉１２０の開放動作が実施されることにより、図７に示されるように、第２扉１２０および被規制部材２０が開き方向に移動し、接触部２２が第２側壁５２のスリット５２Ｂを通過して箱５０の空間５０Ａに移動する。第２扉１２０がさらに開き方向に移動することにより、図８に示されるように被規制部材２０の全体が箱５０から抜け、規制部材７０が支持部５６に移動する。第２扉１２０が閉じ位置から中間位置に移動することにより、第１扉１１０を開き方向に移動させることが可能な状態が形成される。
【００３２】
第２扉１２０が中間位置または開き位置に移動した状態において第２扉１２０を閉じ方向に移動させる力を第２扉１２０に加える動作(以下「閉鎖動作」という)が実施された場合、図９に示されるように被規制部材２０が箱５０の第１側壁５１のスリット５１Ｂを通過して箱５０の空間５０Ａに移動する。箱５０の空間５０Ａに移動した接触部２２の傾斜面２２Ａは規制部材７０と接触する。規制部材７０がさらに閉じ方向に移動した場合、図１０に示されるように規制部材７０が傾斜面２２Ａに沿って上方に移動する。すなわち、接触部２２が規制部材７０を押し上げる。この状態から規制部材７０がさらに閉じ方向に移動した場合、図１１に示されるように規制部材７０が接触部２２の頂部２２Ｃに乗り上げる。この状態から規制部材７０がさらに閉じ方向に移動した場合、図１２に示されるように接触部２２が箱５０の第２側壁５２のスリット５２Ｂを通過して第２側壁５２の外側に突出し、規制部材７０が支持部５６上に移動する。これにより、規制部材７０が接触部２２と第１側壁５１との間に配置され、開き方向への接触部２２の移動が規制部材７０により規制される状態が形成される。すなわち、ロック器具１の状態が扉１００をアンロックする状態から扉１００をロックする状態に変更される。
【００３３】
ロック器具１によれば、次のような作用および効果が得られる。操作部材８０の磁石８１の磁力により規制部材７０を移動させることができるため、粘着テープにより扉１００に設置する従来のロック器具とは異なり、操作部材８０を扉１００に固定する必要がない。このため、扉１００の外観が好ましい状態に保持される。また、規制部材７０の操作に適した操作部材８０により規制部材７０を操作できるため、扉１００のロックおよびアンロックを容易に変更できる。また、球である規制部材７０が箱５０内に配置されているため、規制部材７０が第２設置部材４０から落ちることが抑制される。
【００３４】
(変形例)
上記実施形態は本発明に関するロック器具が取り得る形態の例示であり、その形態を制限することを意図していない。本発明に関するロック器具は実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００３５】
・ロック器具１の設置形態は任意に変更可能である。第１例では、第２設置部材４０が収納空間２１０に配置される物品に設置される。この物品はロック器具１により扉１００がロックされた状態において開放動作が実施された場合に、開放動作により加えられた力で移動しない重量を有することが好ましい。その一例は家具である。第２例では、第１設置部材１０が収納空間２１０に関連する壁、または、収納空間２１０に配置された物品に設置され、第２設置部材４０が扉１００に設置される。この場合も図５〜図１２に例示された手順に準じてロック器具１による扉１００のロックおよびアンロックを変更できる。第３例では、第１設置部材１０および第２設置部材４０の一方が第１扉１１０に設置され、他方が第２扉１２０に設置される。各設置部材１０、４０の位置関係は、扉１００のロックおよびアンロックを変更できるように、実施形態で例示された第１設置部材１０と第２設置部材４０との位置関係に準じて設定される。
【００３６】
・ロック器具１のロック構造は任意に変更可能である。一例では、ロック構造は各設置部材１０、４０の一方に設けられた穴、切り欠き、または、凹部(以下「穴等」)と、各設置部材１０、４０の他方に対して移動可能な状態で各設置部材１０、４０の他方に支持される規制部材７０により構成される。規制部材７０の一例は穴等に挿入される棒または板である。規制部材７０が穴等に挿入された状態では、ロック器具１が扉１００をロックする。この状態において開放動作が実施された場合、規制部材７０が穴等の縁に引っ掛かり、扉１００の開き方向への移動が規制され、扉１００が開かない。ロック器具１のロックを解除する場合、操作部材８０の磁石８１の磁力により操作部材８０の移動方向と同じ方向に規制部材７０が移動し、規制部材７０が穴等から抜かれ、扉１００がアンロックされる。
【００３７】
・ロック器具１を設置する対象は任意に変更可能である。一例では、ロック器具１は建築物の建具としての扉ではなく、家具等のように建築物に設置される物品の扉に設置される。
【符号の説明】
【００３８】
１      ：ロック器具
１０    ：第１設置部材
２０    ：被規制部材
３０    ：取付部
４０    ：第２設置部材
５０    ：箱
５１Ａ  ：ガイド面
５２Ａ  ：ガイド面
７０    ：規制部材
８０    ：操作部材
９０    ：マーカー
１００  ：扉
１２０Ａ：背面
２１０  ：収納空間
【図１】
2019031843.tif 000003
【図２】
2019031843.tif 000004
【図３】
2019031843.tif 000005
【図４】
2019031843.tif 000006
【図５】
2019031843.tif 000007
【図６】
2019031843.tif 000008
【図７】
2019031843.tif 000009
【図８】
2019031843.tif 000010
【図９】
2019031843.tif 000011
【図１０】
2019031843.tif 000012
【図１１】
2019031843.tif 000013
【図１２】
2019031843.tif 000014